(57)【要約】【課題】部品の構造が簡素であるフレキシブルディスクドライブを提供する。【解決手段】メインフレーム（１１ａ）は、板金製であり、凹状を呈する絞り部（１１ｍ）を一体に備えている。絞り部は、その壁部分がガイドロッド（１８）の端面に当接することによって、ガイドロッドの動きをトラッキング方向（Ｔ）に規制する。【選択図】        図６
2004234726.tif 000002
【特許請求の範囲】
【請求項１】
フレキシブルディスクの磁気記録媒体に対してデータの読み出し／書き込みを行う磁気ヘッドをトラッキング方向に移動するためのヘッドアセンブリを有し、前記ヘッドアセンブリは、前記トラッキング方向に延びるようにメインフレーム上に金具によって固定されたガイドロッドによって該トラッキング方向に案内されるものであるフレキシブルディスクドライブにおいて、
前記メインフレームは、板金製であり、凹状を呈する絞り部を一体に備えており、
前記絞り部は、その壁部分が前記ガイドロッドの端面に当接することによって、該ガイドロッドの動きを前記トラッキング方向に規制することを特徴とするフレキシブルディスクドライブ。
【請求項２】
前記金具は、前記ガイドロッドの全長に対応するように延びた単一部品である請求項１に記載のフレキシブルディスクドライブ。
【請求項３】
前記メインフレームは、前記ガイドロッドの両端に対応するように前記絞り部を二箇所備えている請求項１または２に記載のフレキシブルディスクドライブ。
【請求項４】
前記金具は、前記メインフレームと協働して前記ガイドロッドの周面を押圧保持することによって、該ガイドロッドの動きを前記トラッキング方向を含む全方向に固定する請求項１乃至３のいずれかに記載のフレキシブルディスクドライブ。
【発明の詳細な説明】
【０００１】
【発明の属する技術分野】
本発明は、フレキシブルディスクドライブに関し、詳しくは、ヘッドアセンブリをトラッキング方向に案内するためのガイドロッドを固定する構造ならびにこれを備えた薄型のフレキシブルディスクドライブに関する。
【０００２】
【従来の技術】
周知のように、フレキシブルディスクドライブ（以下、「ＦＤＤ」とも略称する）は、それに挿入されたフレキシブルディスク（以下、「ＦＤ」とも略称する）の円板状磁気記録媒体に対してデータの記録再生を行うための装置であり、例えば、本発明者による特願２００１−２８０８９７号等に提案等されている。そして、このようなフレキシブルディスクドライブは、ラップトップ・パソコンやノート型パソコン、あるいはノート型ワープロ等の電子機器に搭載される。
【０００３】
この種のフレキシブルディスクドライブは、フレキシブルディスクの磁気記録媒体に対してデータの読出し／書込みを行う磁気ヘッドと、この磁気ヘッドをフレキシブルディスクに対して所定の半径方向（トラッキング方向）に沿って移動可能に先端で支持するヘッドアセンブリと、このヘッドアセンブリをトラッキング方向に沿って移動させるステッピングモータと、フレキシブルディスクを保持しつつ磁気記録媒体を回転駆動するスピンドルモータ等のＤＤ（ダイレクトドライブ）モータとを有している。
【０００４】
図２（ａ）および（ｂ）を参照して、従来のフレキシブルディスクドライブにおいて、ヘッドアセンブリ（図示せず）は、棒状を呈するガイドロッド１８によってトラッキング方向Ｔに案内されつつ、移動する。ガイドロッド１８は、フレキシブルディスクドライブのメインフレームのベースプレート１１１ａの主面上に、金具１７によって固定される。金具１７は、バネ性を有するステンレススチール（例えば、ＳＵＳ３０４）製で、ガイドロッド１８に応じた長さの長板状を呈している。そして、金具１７は、ヘッドアセンブリに挿通されたガイドロッド１８を係止するようにベースプレート１１１ａの主面上に配置され、さらに、ネジ１７ａを用いて固定される。
【０００５】
金具１７は、曲げ部１７ｆを備えており、この曲げ部１７ｆによって、フレキシブルディスクドライブに大きい衝撃が加わったときにガイドロッド１８がその軸方向、即ち、フレキシブルディスクドライブのトラッキング方向Ｔに位置ズレすることを防止している。
【０００６】
また、ベースプレート１１１ａには、移動するヘッドアセンブリの避けのための角孔１１１ｅが形成されている。角孔１１１ｅの脇には、曲げ部１１１ｋが形成されており、この曲げ部１１１ｋによって、フレキシブルディスクドライブに大きい衝撃が加わったときにガイドロッド１８が方向Ｄに位置ズレすることを防止している。
【０００７】
ガイドロッドの軸方向の位置ズレやガタを規制する策としては、この他にも、例えば、実開平５−１５１６４号公報に開示された策がある。即ち、この策では、本公報の図５に示されるように、ベースフレームに凹部を形成し、この凹部の壁部によってガイドロッドの端部の動きを規制している。
【０００８】
【特許文献１】
実開平５−１５１６４号公報
【０００９】
【発明が解決しようとする課題】
電子機器の小型化（特に、薄型化）、軽量化、ならびに低コスト化に伴って、これに搭載されるフレキシブルディスクドライブにも、小型化、軽量化、ならびに低コスト化が要求されている。
【００１０】
このような要求に応じるものとして、各部品の構造を簡素なものとし、材料の量、製造工程数、各部品毎および部品相互間の寸法管理工程数を削減することも、有効である。
【００１１】
それ故、本発明の技術的課題は、部品の構造が簡素であるフレキシブルディスクドライブを提供することにある。
【００１２】
【課題を解決するための手段】
本発明によれば、フレキシブルディスクの磁気記録媒体に対してデータの読み出し／書き込みを行う磁気ヘッドをトラッキング方向に移動するためのヘッドアセンブリを有し、前記ヘッドアセンブリは、前記トラッキング方向（Ｔ）に延びるようにメインフレーム（１１ａ）上に金具（１７）によって固定されたガイドロッド（１８）によって該トラッキング方向に案内されるものであるフレキシブルディスクドライブにおいて、前記メインフレームは、板金製であり、凹状を呈する絞り部（１１ｍ）を一体に備えており、前記絞り部は、その壁部分が前記ガイドロッドの端面に当接することによって、該ガイドロッドの動きを前記トラッキング方向に規制することを特徴とするフレキシブルディスクドライブが得られる。
【００１３】
本発明によればまた、前記金具は、前記ガイドロッドの全長に対応するように延びた単一部品である前記フレキシブルディスクドライブが得られる。
【００１４】
本発明によればさらに、前記メインフレームは、前記ガイドロッドの両端に対応するように前記絞り部を二箇所備えている前記フレキシブルディスクドライブが得られる。
【００１５】
また、本発明によれば、前記金具は、前記メインフレームと協働して前記ガイドロッドの周面を押圧保持することによって、該ガイドロッドの動きを前記トラッキング方向を含む全方向に固定する前記フレキシブルディスクドライブが得られる。
【００１６】
尚、上記括弧内の参照符号は、理解を容易にするために付したものであり、一例に過ぎず、これらに限定されないのは勿論である。
【００１７】
【発明の実施の形態】
以下、本発明の実施の形態について図面を参照して説明する。
【００１８】
図２は、本発明の実施の形態による本発明の実施の形態によるフレキシブルディスクドライブ（ＦＤＤ）のカバーを除いた平面図である。図３は、本発明の実施の形態によるフレキシブルディスクドライブの組立分解斜視図である。
【００１９】
図２を参照すると、ＦＤＤ６０は、上端部を軸として開閉可能に設けられ、バネ１６ａによって開口を覆うように付勢されたフロントベゼル１６を一端に備えた箱型のメインフレーム１１と、このメインフレーム１１内に収容されたディスク収容排出機構２０と、図２においては、上下方向に進退可能なヘッドアセンブリ３０と、このヘッドアセンブリ３０を位置決め移動させるためのステッピングモータ４０とを備えている。
【００２０】
ディスク収容排出機構２０は、イジェクトプレート２１とその内側に設けられたディスクホルダー２２とを備えている。フレキシブル磁気ディスクを収容したカートリッジは、ディスクホルダー２２と、メインフレーム１１のベースプレート１１ａとの間で且つスピンドルモータのターンテーブル１３上の空間に収容される。また、イジェクトプレート２１とディスクホルダー２２とは、重ねられていると共に、両側に設けられたコイルバネ２３によって、デスクホルダー２２対して、前方（図では下方向）に付勢するように、設けられている。また、ディスクホルダー２２の一端には、軸２５ａを中心にして回転可能な押し出しレバー２５を備えており、この押し出しレバー２５とディスクホルダー２２との間にはコイルバネ２４が設けられている。
【００２１】
フレキシブル磁気ディスクのカートリッジを収容する際には、ディスクカートリッジの一端部がレバー２５の一端に当接して、このレバー２５を軸２５ａを中心にして時計回りに回転させ、所定の位置で、レバー２５がディスクホルダー２２と係合して停止する。
【００２２】
一方、ディスクカートリッジをイジェクトする際には、イジェクトボタン２１ａを押す（図では上方）と、レバー２５と、ディスクホルダー２２との係合が外れ、コイルバネ２４の復帰力によってレバー２５を半時計周りに回転させて、ディスクカートリッジを押し出す。
【００２３】
図３を参照すると、ＦＤＤ６０は、主要部５０と、この主要部５０内に収容されるディスク収容排出機構２０と、上部を覆うカバー６１とを備えて構成されている。
【００２４】
図４は、本発明の実施の形態によるフレキシブルディスクドライブのカバーを除いた平面図である。図５は、図４のフレキシブルディスク装置の主要部の組立分解斜視図である。
【００２５】
図４および図５を参照すると、ＦＤＤ６０の主要部５０は、メインフレーム１１と、メインフレームのベースプレート１１ａ上に設けられたスピンドルモータ１０と、このスピンドルモータ１０の周囲のベースプレート１１ａ上に設けられたメイン基板５とを備えている。メイン基板５上には、ヘッドアセンブリ３０からの信号用のフレキシブルケーブルのガイドを兼ねた合成樹脂製の補強部が設けられている。この補強部は、上下方向の圧縮に対して強度を保つのに用いられている。
【００２６】
メインフレーム１１のベースプレート１１ａの一端には、一側部をガイドロッド１８に挿入され、他側部がステップモータ４０の駆動ロッド４１ａの溝部に係合したヘッドアセンブリ３０を備えている。ヘッドアセンブリ３０の後側には、電気接続のための基板３８が設けられている。ヘッドアセンブリ３０の一側には、ステップモータ４０が設けられている。ステップモータ４０は、金具４３をねじ４４で止めることで位置決め固定されている。また、ステップモータ４０の一側にも、電流供給のための回路基板４２が設けられている。
【００２７】
図５ならびに図６（ａ）および（ｂ）を参照して、ヘッドアセンブリ３０（図６には、図示せず）は、トラッキング方向Ｔに延びるようにメインフレーム１１ａ上に金具によって固定されたガイドロッド１８によってトラッキング方向Ｔに案内されるものである。
【００２８】
メインフレーム１１ａは、板金製であり、凹状を呈する絞り部１１ｍおよび１１ｎを一体に備えている。メインフレーム１１ａは、元々、絞り部１１ｍおよび１１ｎ以外の絞り部を多数備えているため、絞り部１１ｍおよび１１ｎを形成するためにメインフレーム１１ａのプレス工程数が増加することはない。
【００２９】
絞り部１１ｍおよび１１ｎは、それらの壁部分がガイドロッド１８の端面に当接することによって、ガイドロッド１８の動きをトラッキング方向Ｔに規制する。
【００３０】
金具１７は、ガイドロッド１８の全長に対応するように延びた単一部品であり、ネジ１７ａによってメインフレーム１１ａに固定される。金具１７は、図１（ａ）および（ｂ）に示したような曲げ部を備えていない簡素な構造であり、製造工数が少い。
【００３１】
メインフレーム１１ａは、ガイドロッド１８の両端に対応するように二箇所の絞り部１１ｍおよび１１ｎを備えている。
【００３２】
金具１７は、メインフレーム１１ａ（曲げ部１１ｋおよび１１ｌをも含む）と協働してガイドロッド１８の周面を押圧保持することによって、ガイドロッド１８の動きをトラッキング方向Ｔを含む全方向（フォーカス方向Ｆ、トラッキング方向Ｔ、ディスク回転接線方向Ｄ）に固定する。
【００３３】
さらに、ベースプレート１１ａの上面には、イジェクトプレート（２２、図３参照）と協働してディスクカートリッジを押し上げる押し上げレバー４６と、イジェクトレバー２５と、ディスクホルダー２１との係合をはずすためのロック解除レバー４７とを備えている。
【００３４】
図５を参照すると、主要部５０を組み立てるには、メインフレーム１１のベースプレート１１ａ上に、メイン基板５をネジ６によって固定する。また、メイン基板５の後端の内側を押さえるように、金具１７がネジ１７ａによって固定される。
【００３５】
次に、メインフレーム１１のベースプレート１１ａの底部に、軸受１２ａを備えた貫通穴１２ａに合わせて、ソレノイドコイル１（図２）が形成されたフレキシブル基板２を装着して、その中心上にベアリング１４を設けて、さらに、ターンテーブル１３の回転軸１３ａを軸受１２ａを介して貫通穴の回転可能に収容する。ここで、ターンテーブル１３は、ベースプレート１１ａに設けられた切り起こし１９と、ターンテーブル１３の溝１３ｂとの位置を合わせて装着されるが、一端装着されると、ターンテーブル１３は、回転可能であるが、溝１３ｂと切り起し１９との回転位置が一致しない限り、ターンテーブル１３は、その上方への離脱が阻止される。
【００３６】
ヘッドアセンブリ３０は、縦断面コ字状で、上下のヘッド支持片３１、３４の内側には、それぞれ磁気ヘッド素子３３が設けられている。ヘッドアセンブリ３０の一側には、一端に突出した駆動ロッド４１ａを備えたステップモータ４０が設けられている。ステップモータ４０の駆動用のスクリューロッド４１ａに設けられた溝４１ｂに、ヘッドアセンブリ３０の一端３５が係合するように、ステップモータ４０は金具４３をベースプレートに設けられた突出部４５へのネジ４４固定によって固定されている。
【００３７】
また、Ｓ字形状の部材４８は、プラスチック製でありヘッドアセンブリ３０とメイン基板５とを接続するケーブルを案内すると共に、ＦＤＤへの補強のために設けられる。
【００３８】
また、ディスクカートリッジのイジェクトの際にイジェクトプレート２１（図３）と連動して、収容されたフレキシブルディスクカートリッジを外部前方に押し出す押し上げレバー４６と、ディスクホルダー２２を持ち上げ、イジェクトプレートのディスクホルダー２２との前後方向の係合を解除するロック解除レバー４７とが、それぞれピン４６ａ、４７ａによって回転可能に設けられる。図５で示したように、主要部５０を組立てると、図４の平面図に示すように、主要部５０が組立てられる。
【００３９】
さらに、図３に示すように、主要部５０内にディスク収容排出機構２０を装着すると、図２に示す構造となり、さらに、図３に示すようにカバー６１を装着してディスクドライブが完成となる。
【００４０】
本発明は上述した実施の形態に限定されず、本発明の趣旨を逸脱しない範囲内で種々の変更・変形が可能なのは勿論である。
【００４１】
【発明の効果】
本発明によれば、部品の構造が簡素であり、材料の量、製造工程数、各部品毎および部品相互間の寸法管理工程数を削減し、小型化、軽量化、ならびに低コスト化を図ることが可能である。
【図面の簡単な説明】
【図１】従来のフレキシブルディスクドライブにおけるガイドロッドの位置ズレやガタを規制するための構造の一例を示す部分的な斜視図であり、（ａ）はガイドロッドを取り除いたとき、（ｂ）はガイドロッドを配したときを示す。
【図２】本発明の実施の形態によるフレキシブルディスクドライブのカバーを除いた平面図である。
【図３】本発明の実施の形態によるフレキシブルディスクドライブの組立分解斜視図である。
【図４】本発明の実施の形態によるフレキシブルディスクドライブの主要部の上部カバーを除いた平面図である。
【図５】図４のフレキシブルディスクドライブの要部の組立分解斜視図である。
【図６】本発明の実施の形態によるフレキシブルディスクドライブにおけるガイドロッドの位置ズレやガタを規制するための構造を示す斜視図であり、（ａ）はガイドロッドを取り除いたとき、（ｂ）はガイドロッドを配したときを示す。
【符号の説明】
２    フレキシブル基板
３    半田接続端部
５    メイン基板
５ｂ  電子部品
５ｃ  コネクタ
１１    メインフレーム
１１ａ、１１１ａ  ベースプレート
１１ｅ、１１１ｅ  角孔部
１１ｋ、１１１ｋ  曲げ部
１１ｍ、１１ｎ  絞り部
１２ａ  軸受
１３    ターンテーブル
１３ａ  回転軸
１４    ベアリング
１６    フロントベゼル
１７    金具
１７ａ  ネジ
１７ｆ  曲げ部
１８    ガイドロッド
２０    ディスク収容排出機構
２１    イジェクトプレート
２１ａ  イジェクトボタン
２２    ディスクホルダー
２３    コイルバネ
２４    コイルバネ
３０    ヘッドアセンブリ
３１、３４    支持片
３３    磁気ヘッド素子
３５    係合部
３８    基板
４０    スピンドルモータ
４１ａ  スクリューロッド
４２    回路基板
４３    金具
４４    ネジ
４５    突出部
４６    押し上げレバー
４６ａ、４７ａ  ピン
４７    ロック解除レバー
５０    主要部
６０    ＦＤＤ
６１    カバー
【図１】
2004234726.tif 000003
【図２】
2004234726.tif 000004
【図３】
2004234726.tif 000005
【図４】
2004234726.tif 000006
【図５】
2004234726.tif 000007
【図６】
2004234726.tif 000008